【手続補正書】
【提出日】平成23年1月17日(2011.1.17)
【手続補正１】
【補正対象書類名】特許請求の範囲
【補正対象項目名】全文
【補正方法】変更
【補正の内容】
【特許請求の範囲】
【請求項１】
セッションを確立する方法であって、
確立されるべき第一のデバイスとの第一の通信セッションを確立させ、
前記第一の通信セッションは、前記第一のデバイスの第一のローカル・メディアおよび該第一のデバイスの第一のセッション・コントロール・パスを含み、
前記第一のセッション・コントロール・パスを前記第一のデバイスに留めたまま、第二のデバイスの第一のリモート・メディアへ前記第一のローカル・メディアを送信する、
方法。
【請求項２】
前記第一のデバイスとの第二の通信セッションを確立し、
前記第二の通信セッションは前記第一のデバイスの第二のローカル・メディアおよび該第一のデバイスの第二のセッション・コントロール・パスを含み、
第三のデバイスの第二のリモート・メディアへ前記第二のローカル・メディアを送信し、
前記第二のセッション・コントロール・パスは前記第一のデバイスに留められている、
ことをさらに含む、請求項１に記載の方法。
【請求項３】
前記第一のリモート・メディアおよび第二のリモート・メディアの一方をホールド状態に設定する、ことをさらに含む、請求項２に記載の方法。
【請求項４】
リモート・レグを形成するために、前記第一のリモート・メディアの第一のリモート・シグナリング・パスと前記第一のセッション・コントロール・パスとを結合すること、か、
前記第二のデバイスから第三のデバイスへ前記第一のリモート・メディアを送信すること、か、
前記第一のデバイスに前記第一のリモート・メディアを送信し戻すこと、か、
前記第一の通信セッションが第二のローカル・メディアを含む場合、前記第一のデバイスに該第二のローカル・メディアを留めること、か、
前記第一の通信セッションが第二のローカル・メディアを含む場合、第三のデバイスの第二のリモート・メディアに前記第二のローカル・メディアを送信すること、
をさらに含む、請求項１〜３のいずれか一項に記載の方法。
【請求項５】
セッションを確立する方法であって、
第一のデバイスにコントロール・セッションを留めたまま、第二のデバイスの第一のリモート・メディア・フローに該第一のデバイスの第一のローカル・メディア・フローを送信することを要求する第一のメッセージを受信し、
前記第一のメッセージの受信に応じて、前記第一のリモート・メディア・フローをセットアップするために、前記第二のデバイスに第二のメッセージを送信し、
前記第一のメッセージの受信に応じて、前記第二のデバイスに前記第一のリモート・メディア・フローをリダイレクトするように、第一のリモート端末に指示するために、該第一のリモート端末に第三のメッセージを送信することによって、該第一のリモート端末と第二のデバイスとの間の第一のリモート・メディア・セッションを確立する、
方法。
【請求項６】
前記第一のデバイスにコントロール・セッションを留めたまま、前記第一のデバイスから第三のデバイスに第二のローカル・メディア・フローを送信することを要求する第四のメッセージを受信し、
前記第四のメッセージの受信に応じて、前記第三のデバイスへの第二のリモート・メディア・フローをセットアップするために、該第三のデバイスへ第五のメッセージを送信し、
前記第一のデバイスから前記第三のデバイスに前記第一のリモート・メディア・フローをリダイレクトするように、前記第一のリモート端末に指示するために、該第一のリモート端末へ第六のメッセージを送信する、
ことをさらに含む、
請求項５に記載の方法。
【請求項７】
前記第一のリモート・メディア・フローおよび第二のリモート・メディア・フローの一方をホールド状態に設定する、もしくは、
前記第一のデバイスへ前記第一のリモート・メディア・フローを送信し戻すために第四のメッセージを受信する、
ことをさらに含む、請求項６に記載の方法。
【請求項８】
前記第一のリモート・メディア・フローを前記第二のデバイスから第三のデバイスへ送信することを要求する第四のメッセージを受信し、
前記第四のメッセージの受信に応じて、前記第三のデバイスへのリモート・メディア・フローをセットアップするように、該第三のデバイスへ第五のメッセージを送信し、
前記第二のデバイスから第三のデバイスへ前記第一のリモート・メディア・フローをリダイレクトするように、前記第一のリモート端末に指示するために、該第一のリモート端末に第六のメッセージを送信する、
ことをさらに含む、
請求項５〜７のいずれか一項に記載の方法。
【請求項９】
通信を提供する方法であって、
第一のリモート・メディア・コントロール・シグナリング・パスおよびサービス・コントロール・シグナリング・パスを有する第一のアクセス・レグを確立し、
前記第一のリモート・メディア・コントロール・シグナリング・パスは第一のユーザ機器（ＵＥ）に向けられており、
前記サービス・コントロール・シグナリング・パスは第二のユーザ機器（ＵＥ）に向けられており、
リモート端末に向けられるリモート・レグを形成するために前記第一のリモート・メディア・コントロール・シグナリング・パスおよびサービス・コントロール・シグナリング・パスを結合する、
ことを含む、方法。
【請求項１０】
前記第一のユーザ機器（ＵＥ）から第三のユーザ機器（ＵＥ）へ前記第一のリモート・メディア・コントロール・シグナリング・パスを送信すること、もしくは、
前記第一のユーザ機器（ＵＥ）から第二のユーザ機器（ＵＥ）へ前記第一のリモート・メディア・コントロール・シグナリング・パスを送信すること、
をさらに含む、請求項９に記載の方法。
【請求項１１】
前記第一のアクセス・レグは、第三のユーザ機器（ＵＥ）へ向けられている第二のリモート・メディア・コントロール・シグナリング・パスをさらに含む、請求項９または１０に記載の方法。
【請求項１２】
セッションを確立する装置であって、
確立開始手段と、
送信手段と、
を備え、
前記確立開始手段は、第一のデバイスとの第一の通信セッションの確立を開始することができ、
前記第一の通信セッションは前記第一のデバイスの第一のローカル・メディアおよび該第一のデバイスの第一のセッション・コントロール・パスを含み、
前記送信手段は、前記第一のデバイスに第一のセッション・コントロール・パスを留めたまま、第二のデバイスの第一のリモート・メディアに前記第一のローカル・メディアを送信することができる、
装置。
【請求項１３】
前記第一のデバイスとの第二の通信セッションを確立することができる確立手段をさらに備え、
前記第二の通信セッションは前記第一のデバイスの第二のローカル・メディアおよび該第一のデバイスの第二のセッション・コントロール・パスを含み、
前記送信手段は、さらに、前記第二のセッション・コントロール・パスを前記第一のデバイスに留めたまま、第三のデバイスの第二のリモート・メディアに前記第二のローカル・メディアを送信することができる、
請求項１２に記載の装置。
【請求項１４】
前記第一のリモート・メディアおよび第二のリモート・メディアの一方をホールド状態に設定することができる状態設定手段、をさらに備える、請求項１３に記載の装置。
【請求項１５】
前記送信手段は、さらに、前記第二のデバイスから第三のデバイスへ前記第一のリモート・メディアを送信することができる、か、
前記第一の通信セッションが第二のローカル・メディアを含む場合、前記送信手段は、さらに、前記第一のデバイスに第二のローカル・メディアを留めることができる、か、
前記第一の通信セッションが第二のローカル・メディアを含む場合、前記送信手段は、さらに、第三のデバイスの第二のリモート・メディアに前記第二のローカル・メディアを送信することができる、か、
前記送信手段は、さらに、前記第一のデバイスに前記第一のリモート・メディアを送信し戻すことができる、
請求項１２〜１４のいずれか一項に記載の装置。
【請求項１６】
リモート・レグを形成するために、前記第一のリモート・メディアの第一のリモート・シグナリング・パスと前記第一のセッション・コントロール・パスとを結合することができる結合手段をさらに備える、請求項１２〜１５のいずれか一項に記載の装置。 
【請求項１７】
セッションを確立する装置であって、
受信手段と、
送信手段と、
を備え、
前記受信手段は、第一のデバイスにコントロール・セッションを留めたまま、第二のデバイスの第一のリモート・メディア・フローに該第一のデバイスの第一のローカル・メディア・フローを送信することを要求する第一のメッセージを受信することができ、
前記送信手段は、前記第一のメッセージの受信に応じて、前記第一のリモート・メディア・フローをセットアップするように前記第二のデバイスに第二のメッセージを送信することができ、該第一のメッセージの受信に応じて、該第二のデバイスに該第一のリモート・メディア・フローをリダイレクトするように第一のリモート端末に指示するために、該第一のリモート端末に第三のメッセージを送信することができる、ことによって、該第一のリモート端末と第二のデバイスとの間に第一のリモート・メディア・セッションを確立する、
セッションを確立する装置。
【請求項１８】
前記受信手段は、さらに、前記コントロール・セッションを第一のデバイスに留めたまま、該第一のデバイスから第三のデバイスに第二のローカル・メディア・フローを送信することを要求する第四のメッセージを受信することができ、
前記送信手段は、さらに、前記第四のメッセージの受信に応じて、前記第三のデバイスに第二のリモート・メディア・フローをセットアップするために、該第三のデバイスに第五のメッセージを送信することができ、前記第一のデバイスから第三のデバイスに前記第一のリモート・メディア・フローをリダイレクトするように、前記第一のリモート端末に指示するために、該第一のリモート端末に第六のメッセージを送信することができる、
請求項１７に記載の装置。
【請求項１９】
前記第一のリモート・メディア・フローおよび第二のリモート・メディア・フローの一方をホールド状態に設定することができる状態設定手段、をさらに備える、請求項１８に記載の装置。
【請求項２０】
前記受信手段は、さらに、前記第二のデバイスから第三のデバイスへ前記第一のリモート・メディア・フローを送信することを要求する第四のメッセージを受信することができ、
前記送信手段は、さらに、前記第四のメッセージの受信に応じて、前記第三のデバイスへのリモート・メディア・フローをセットアップするように、該第三のデバイスに第五のメッセージを送信することができ、前記第二のデバイスから該第三のデバイスへ前記第一のリモート・メディア・フローをリダイレクトするように、前記第一のリモート端末に指示するために、該第一のリモート端末に第六のメッセージを送信することができる、
請求項１８に記載の装置。
【請求項２１】
前記受信手段は、さらに、前記第一のデバイスに前記第一のリモート・メディア・フローを送信し戻すために、第四のメッセージを受信することができる、請求項１７〜２０のいずれか一項に記載の装置。
【請求項２２】
通信を提供する装置であって、
確立手段と、
結合手段と、
を備え、
前記確立手段は、第一のリモート・メディア・コントロール・シグナリング・パスおよびサービス・コントロール・シグナリング・パスを含む第一のアクセス・レグを確立することができ、
前記第一のリモート・メディア・コントロール・シグナリング・パスは、第一のユーザ機器（ＵＥ）に向けられており、
前記サービス・コントロール・シグナリング・パスは第二のユーザ機器（ＵＥ）に向けられており、
前記結合手段は、リモート端末に向けられるリモート・レグを形成するために、前記第一のリモート・メディア・コントロール・シグナリング・パスおよびサービス・コントロール・シグナリング・パスを結合することができる、
装置。
【請求項２３】
前記第一のユーザ機器（ＵＥ）から第三のユーザ機器（ＵＥ）へ前記第一のリモート・メディア・コントロール・シグナリング・パスを送信すること、もしくは、該第一のユーザ機器（ＵＥ）から第二のユーザ機器（ＵＥ）へ該第一のリモート・メディア・コントロール・シグナリング・パスを送信すること、ができる送信手段、
をさらに備える、
請求項２２に記載の装置。